(57)【要約】【課題】受信状況が変化しやすい環境であってもフレーム補間処理の実効性を向上させること。【解決手段】フレーム補間部が、前後するフレーム画像間に挿入する補間フレーム画像の個数を０から所定個数の範囲で調整することとしたうえで、補間指示部が、フレーム画像または入力映像を搬送する放送波の受信状況に基づいて補間フレーム画像の個数を指示するように画像処理装置を構成する。また、補間指示部が、放送波を復調する際に取得される受信状況値と所定の閾値との対比結果に基づいて補間フレーム画像の個数を指示するように画像処理装置を構成する。【選択図】        図２
2010041572.tif 000002
【特許請求の範囲】
【請求項１】
入力映像を構成するフレーム画像とフレーム画像との間に補間フレーム画像を挿入する画像処理装置であって、
前後する前記フレーム画像間に挿入する前記補間フレーム画像の個数を０から所定個数の範囲で調整するフレーム補間手段と、
前記入力映像を搬送する放送波の受信状況に基づいて前記フレーム補間手段に対して前記補間フレーム画像の個数を指示する指示手段と
を備えたことを特徴とする画像処理装置。
【請求項２】
前記指示手段は、
前記放送波を復調する際に取得される受信状況値と所定の閾値との対比結果に基づいて前記フレーム補間手段に対して前記補間フレーム画像の個数を指示することを特徴とする請求項１に記載の画像処理装置。
【請求項３】
前記指示手段は、
前記受信状況値が第１の閾値を上回った場合に、前記フレーム補間手段に対して前記補間フレーム画像の個数として第１の個数を指示し、前記受信状況値が前記第１の閾値よりも小さい第２の閾値を上回っており前記第１の閾値以下である場合に、前記フレーム補間手段に対して前記第１の個数よりも小さい第２の個数を指示し、前記受信状況値が前記第２の閾値以下である場合に、前記補間フレーム画像の個数として０を指示することを特徴とする請求項２に記載の画像処理装置。
【請求項４】
前記指示手段は、
前記第１の閾値および／または前記第２の閾値について、前記受信状況値が減少しつつ各閾値に達した場合と、増加しつつ各閾値に達した場合とで、それぞれ異なる閾値とすることを特徴とする請求項３に記載の画像処理装置。
【発明の詳細な説明】
【技術分野】
【０００１】
この発明は、入力映像を構成するフレーム画像とフレーム画像との間に補間フレーム画像を挿入する画像処理装置に関し、特に、受信状況が変化しやすい環境であってもフレーム補間処理の実効性を向上させることができる画像処理装置に関する。
【背景技術】
【０００２】
近年、車載用ＤＴＶ（デジタルテレビジョン）受信機が普及してきている。ＤＴＶ放送波は、ＯＦＤＭ（Orthogonal  Frequency  Division  Multiplexing；直交周波数分割多重）方式に準拠しており、ＤＴＶ放送波から情報を復調する際には、いわゆる、ＯＦＤＭ復調を行う必要がある。
【０００３】
また、ＤＴＶ映像は、フレームレート（１秒間あたりのフレーム数）が規格化されているが、ワンセグ放送（One  Segment  Broadcasting）のように、フレームレートが低いものも存在する。また、１２セグ放送のように、フレームレートが高い場合であっても、フレームの欠落などによって映像の動きが不安定となることもある。
【０００４】
このため、前後のフレームから予測した補間フレームを挿入するフレーム補間技術を受信側で用いることで、映像の動きを滑らかにする試みがなされている（たとえば、特許文献１参照）。
【０００５】
【特許文献１】特開２００７−２２８４１２号公報
【発明の開示】
【発明が解決しようとする課題】
【０００６】
しかしながら、上記したフレーム補間技術を用いると、受信状況が良好ではない場合に、かえって画質が劣化するという問題がある。これは、受信状況が良好な状態から悪化していくと入力映像にブロックノイズが発生するが、ブロックノイズを含んだ入力映像に対してフレーム補間を行っても画質向上が見込めないためである。
【０００７】
そして、受信状況がさらに悪化すると入力映像は静止した状態となるので、このような状態でフレーム補間を行ってもフレーム補間の効果は全く得られず、フレーム補間処理を実行するための処理コストや電力が無駄となってしまう。
【０００８】
これらのことから、受信状況が変化しやすい環境であってもフレーム補間処理の実効性を向上させることができる車載用受信機をいかにして実現するかが大きな課題となっている。なお、かかる課題は、車載用受信機に限らず、受信状況が変化しやすい環境で用いられる携帯電話などの画像処理を行う画像処理装置全般において発生する課題である。
【０００９】
本発明は、上述した従来技術による問題点を解消するためになされたものであり、受信状況が変化しやすい環境であってもフレーム補間処理の実効性を向上させることができる画像処理装置を提供することを目的とする。
【課題を解決するための手段】
【００１０】
上述した課題を解決し、目的を達成するため、本発明は、入力映像を構成するフレーム画像とフレーム画像との間に補間フレーム画像を挿入する画像処理装置であって、前後する前記フレーム画像間に挿入する前記補間フレーム画像の個数を０から所定個数の範囲で調整するフレーム補間手段と、前記入力映像を搬送する放送波の受信状況に基づいて前記フレーム補間手段に対して前記補間フレーム画像の個数を指示する指示手段とを備えたことを特徴とする。
【発明の効果】
【００１１】
本発明によれば、前後するフレーム画像間に挿入する補間フレーム画像の個数を０から所定個数の範囲で調整することとしたうえで、フレーム画像または入力映像を搬送する放送波の受信状況に基づいて補間フレーム画像の個数を指示することとしたので、受信状況が変化しやすい環境であってもフレーム補間処理の実効性を向上させることができるという効果を奏する。
【発明を実施するための最良の形態】
【００１２】
以下に添付図面を参照して、この発明に係る画像処理装置の好適な実施例を詳細に説明する。なお、以下では、本発明に係る画像処理手法の概要について図１を用いて説明した後に、本発明に係る画像処理手法を適用した画像処理装置についての実施例を説明することとする。
【００１３】
まず、本発明に係る画像処理手法の概要について図１を用いて説明する。図１は、本発明に係る画像処理手法の概要を示す図である。本発明に係る画像処理手法は、放送波の受信状況に応じてフレーム補間処理の内容を変更するものである。具体的には、放送波から復号されたフレーム画像間に挿入する補間フレーム画像の個数を受信状況に応じて変化させるとともに、受信状況が非常に悪い場合には、フレーム補間処理自体を停止させる処理を行う。
【００１４】
従来、フレーム補間処理は、放送波の受信状況に関わらず一定であった。たとえば、放送波の受信状況が良好な状態から悪化していくと、入力映像にブロックノイズが発生する。しかし、フレーム補間処理は、前後するフレーム画像から補間フレーム画像を推測するものであるので、前後するフレーム画像にブロックノイズが含まれていると、補間フレーム画像にもブロックノイズの影響が及んでしまい画質の劣化を招く結果となる。
【００１５】
また、放送波の受信状況が極めて悪い状態においては入力映像が静止した状態となるが、静止映像に対してフレーム補間処理を行っても画質向上は見込めないので、フレーム補間処理についての処理コストおよび電力が全くの無駄となっていた。
【００１６】
そこで、本発明に係る画像処理手法では、放送波の受信状況の変化に応じてフレーム補間処理の内容を変更することとした。すなわち、受信状況が良好な場合には、フレーム画像間に挿入する補間フレーム数を最大とし、受信状況が悪化した場合には、補間フレーム数を減少させることとした。そして、さらに受信状況が悪化した場合には、補間処理自体を行わないこととした。
【００１７】
具体的には、同図に示すように、放送波受信状況を示す受信状況値を、所定の閾値Ａおよび閾値Ｂと比較する。ここで、受信状況値の算出には、放送波の電界レベル、ＢＥＲ（Bit  Error  Ratio）、Ｃ／Ｎ（Carrier  To  Noise  Ratio）、ＴＳ（Transport  Stream）エラー信号等を用いることができる。また、同図に示すように、閾値Ａは、閾値Ｂよりも大きい閾値である。
【００１８】
本発明に係る画像処理手法では、受信状況値が閾値Ａよりも大きい場合には、補間フレーム数を最大とする（同図の（１）参照）。たとえば、入力映像のフレームレートが１５ｆｐｓ（file  per  second）である場合には、補間フレーム挿入後のフレームレートが６０ｆｐｓとなるようにフレーム補間を行う。
【００１９】
そして、受信状況値が閾値Ａ以下であって閾値Ｂよりも大きい場合には、補間フレーム数を最大のフレーム数よりも減らす（同図の（２）参照）。たとえば、入力映像のフレームレートが１５ｆｐｓ（file  per  second）であって、最大フレームレートが６０ｆｐｓである場合には、補間フレーム挿入後のフレームレートが３０ｆｐｓとなるようにする。
【００２０】
そして、受信状況値が閾値Ｂ以下である場合には、補間処理自体を行わない（同図の（３）参照）。すなわち、補間処理自体を行わない場合には、入力映像のフレームレートが１５ｆｐｓのままとなる。
【００２１】
このように、本発明に係る画像処理手法では、放送波の受信状況に応じて補間フレーム数を変更し、受信状況が極めて悪い場合には、フレーム補間処理自体を停止することとした。したがって、入力映像にブロックノイズが発生しやすい区間（同図における閾値Ａおよび閾値Ｂで挟まれた区間）において、フレーム補間によって、かえって画質が劣化してしまうことを防止することができる。
【００２２】
また、フレーム補間処理を実行しても画質向上を望むことができない区間（同図における閾値Ｂ以下の区間）では、フレーム補間処理自体を停止させるので、処理コストおよび消費電力を低減することができる。
【００２３】
以下では、本発明に係る画像処理手法を適用した画像処理装置についての実施例を説明する。なお、以下の実施例では、自動車などの移動体に設けられる画像処理装置について示すが、屋内や屋外に設置される受信装置や、携帯電話などのモバイル型端末に、本発明を適用することとしてもよい。
【実施例】
【００２４】
図２は、本実施例に係る画像処理装置１０の構成を示すブロック図である。同図に示すように、画像処理装置１０は、アンテナ１と、表示装置１００とに接続されており、復調部１１と、デコード部１２と、フレーム補間処理部１３と、フレームメモリ１４とを備えている。また、フレーム補間処理部１３は、受信状況取得部１３ａと、補間指示部１３ｂと、映像入力部１３ｃと、フレーム補間部１３ｄとをさらに備えている。
【００２５】
ここで、アンテナ１は、たとえば、車両のルーフ部分や窓部分に設置され、デジタルテレビジョン（ＤＴＶ）放送波を受信する。そして、受信した信号を画像処理装置１０へ出力する。表示装置１００は、液晶ディスプレイなどの表示装置であり、画像処理装置１０からの出力映像を表示する。
【００２６】
復調部１１は、アンテナ１から受け取った信号を復調して復調後のデータをデコード部１２へ渡す処理を行うとともに、放送波の受信状況をフレーム補間処理部１３の受信状況取得部１３ａへ通知する処理を行う処理部である。
【００２７】
ここで、復調部１１は、受信状況として、ＡＧＣ（Auto  Gain  Control）電圧レベルなどの電界レベル、ＢＥＲ（Bit  Error  Ratio）、Ｃ／Ｎ（Carrier  To  Noise  Ratio）、ＴＳ（Transport  Stream）エラー信号のいずれか、または、これらの任意の組み合わせを受信状況取得部１３ａへ通知するものとする。なお、ＴＳエラー信号は、Ａ階層（ワンセグ）、Ｂ階層（１２セグ）といった階層ごとに検出することができる。
【００２８】
デコード部１２は、復調部１１から受け取った復調後のデータを復号することで、入力映像を再生するとともに、再生した入力映像をフレーム補間処理部１３の映像入力部１３ｃへ渡す処理を行う処理部である。
【００２９】
フレーム補間処理部１３は、復調部１１から受け取った受信状況に基づき、デコード部１２から受け取った入力映像についてフレーム補間部１３ｄが行うフレーム補間処理の内容変更を行う処理部である。
【００３０】
具体的には、このフレーム補間処理部１３は、受信状況を示す受信状況値と所定の閾値とを比較することで、補間フレーム数を最大とするか、補間フレーム数を減少させるか、あるいは、補間処理自体を停止するかのいずれかを選択する。
【００３１】
受信状況取得部１３ａは、復調部１１から受け取った受信状況から受信状況値を生成し、生成した受信状況値を補間指示部１３ｂへ渡す処理を行う処理部である。ここで、受信状況取得部１３ａは、復調部１１から受け取ったＢＥＲ（Bit  Error  Ratio）、Ｃ／Ｎ（Carrier  To  Noise  Ratio）といった受信状況をそのまま受信状況値として用いることとしてもよいし、受信状況を正規化などの所定の算出式に入力させることで受信状況値へ変換することとしてもよい。
【００３２】
補間指示部１３ｂは、受信状況取得部１３ａから受け取った受信状況値と所定の閾値とを比較することで、補間フレーム数を最大とするか、補間フレーム数を減少させるか、あるいは、補間処理自体を停止するかのいずれかの選択指示を、フレーム補間部１３ｄに対して通知する処理を行う処理部である。なお、この補間指示部１３ｂが行う指示の詳細については、図３などを用いて後述することとする。
【００３３】
映像入力部１３ｃは、デコード部１２から受け取った入力映像を構成する各フレーム画像をフレームメモリ１４へ格納する処理を行う処理部である。また、フレーム補間部１３ｄは、フレームメモリ１４から取得した前後するフレーム画像に対し、補間指示部１３ｂから受け取った指示に対応するフレーム補間処理を行う処理部である。
【００３４】
たとえば、フレーム補間部１３ｄは、入力映像のフレームレートが１５ｆｐｓである場合に、補間指示部１３ｂから補間フレーム数を最大とする旨の指示を受けると、前後するフレーム画像について３個の補間フレームを生成して挿入する。これにより、補間フレーム挿入後のフレームレートは６０ｆｐｓとなる。
【００３５】
また、補間指示部１３ｂから補間フレーム数を減少させる旨の指示を受けた場合には、前後するフレーム画像に対して１個の補間フレームを生成して挿入する。これにより、補間フレーム挿入後のフレームレートは３０ｆｐｓとなる。そして、補間指示部１３ｂから補間処理自体を停止する旨の指示を受けた場合には、補間フレームを生成せず、フレームメモリ１４から取得したフレーム画像をそのまま出力映像として出力する。
【００３６】
フレームメモリ１４は、映像入力部１３ｃから受け取った各フレーム画像を記憶するメモリである。なお、フレームメモリ１４に記憶された各フレーム画像は、フレーム補間部１３ｄによって読み出される。
【００３７】
次に、補間指示部１３ｂからの指示変更に伴う画像処理装置１０の動作について図３〜図５を用いて説明する。図３は、指示変更に伴う画像処理装置１０の動作例を示す図である。なお、同図の縦軸は受信状況値を、横軸は時間をそれぞれ示している。また、時間経過に伴う受信状況値の変化を受信状況値曲線３１として示している。
【００３８】
なお、同図では、補間指示部１３ｂから補間フレーム数を最大とする旨の指示を受けた際に、６０ｆｐｓの補間処理を行い、補間フレーム数を減少させる旨の指示を受けた際に、３０ｆｐｓの補間処理を行う場合について示している。
【００３９】
同図に示すように、補間指示部１３ｂは、所定の閾値Ａと、閾値Ａよりも小さい閾値Ｂとを用い、これらの閾値（閾値Ａおよび閾値Ｂ）と、受信状況取得部１３ａから受け取った受信状況値とを比較することで、指示内容を決定する。なお、以下では、時間経過の流れに沿って（同図の左側から右側に向かって）説明することとする。
【００４０】
受信状況値が閾値Ａよりも大きい場合、補間指示部１３ｂは、フレーム補間部１３ｄに対して６０ｆｐｓ補間を行うように指示する（同図の「６０ｆｐｓ補間区間（１）」参照）。そして、受信状況値が閾値Ａ以下となったならば（同図の３１ａ参照）、補間指示部１３ｂは、フレーム補間部１３ｄに対して３０ｆｐｓ補間を行うように指示する（同図の「３０ｆｐｓ補間区間（１）」参照）。
【００４１】
つづいて、受信状況値が閾値Ｂ以下となったならば（同図の３１ｂ参照）、補間指示部１３ｂは、フレーム補間部１３ｄに対してフレーム補間の停止を行うように指示する（同図の「補間停止区間」参照）。そして、受信状況値が閾値Ｂを上回るまで補間停止が継続される。
【００４２】
そして、受信状況値が再び閾値Ｂよりも大きくなった場合には（同図の３１ｃ参照）、補間指示部１３ｂは、フレーム補間部１３ｄに対して３０ｆｐｓ補間を行うように指示する（同図の「３０ｆｐｓ補間区間（２）」参照）。
【００４３】
そして、受信状況値が再び閾値Ａよりも大きくなった場合には（同図の３１ｄ参照）、補間指示部１３ｂは、フレーム補間部１３ｄに対して６０ｆｐｓ補間を行うように指示する（同図の「６０ｆｐｓ補間区間（２）」参照）。
【００４４】
なお、図３においては、３０ｆｐｓ補間区間（１）と３０ｆｐｓ補間区間（２）とが、同一のフレームレートである場合について示したが、両者を異なるフレームレートとすることとしてもよい。また、図３では、閾値Ａおよび閾値Ｂを静的な閾値として示したが、各閾値を動的に補正することとしてもよい。たとえば、受信状況値の変化状況を学習し、受信状況値の分散に基づいて各閾値を変動させることとしてもよい。
【００４５】
ところで、図３では、６０ｆｐｓ補間区間（１）から３０ｆｐｓ補間区間（１）へ入る場合の閾値と、３０ｆｐｓ補間区間（２）から６０ｆｐｓ補間区間（２）へ入る場合の閾値とが同一の閾値Ａである場合について示したが、両閾値をそれぞれ異なるものとしてしてもよい。
【００４６】
そこで、図４では、６０ｆｐｓ補間区間（１）から３０ｆｐｓ補間区間（１）へ入る場合の閾値と、３０ｆｐｓ補間区間（２）から６０ｆｐｓ補間区間（２）へ入る場合の閾値とを異なる閾値とした場合について説明する。
【００４７】
図４は、画像処理装置１０の動作の変形例その１を示す図である。なお、図４では、図３と同一の部分については同一の符号を付し、同一部分についての説明を省略することとする。
【００４８】
図４では、新たに閾値Ｃが設けられている点で図３とは異なる。ここで、閾値Ｃは、閾値Ａよりも大きな閾値であり、３０ｆｐｓ補間区間（２）から６０ｆｐｓ補間区間（２）へ入る場合（同図の４１ａ参照）の判定用閾値として用いられる。
【００４９】
このように、３０ｆｐｓ補間を開始する場合の閾値よりも、３０ｆｐｓ補間を終了する場合の閾値を大きな値とすることで、３０ｆｐｓ補間を開始しやすく３０ｆｐｓ補間を終了しにくい、すなわち、いったん３０ｆｐｓ補間を開始した場合に３０ｆｐｓ補間を継続する傾向を持たせることができる。これにより、６０ｆｐｓ補間と３０ｆｐｓ補間との頻繁な入れ替わりを防止することができる。
【００５０】
ところで、図４では、３０ｆｐｓ補間区間の開始閾値と終了閾値とを異なる閾値とした場合について示したが、補間停止区間の開始閾値と終了閾値とを異なる閾値とすることとしてもよい。そこで、図５では、３０ｆｐｓ補間区間（１）から補間停止区間に入る際の閾値と、補間停止区間から３０ｆｐｓ補間区間（２）へ入る際の閾値とを異なる閾値とした場合について説明する。
【００５１】
図５は、画像処理装置１０の動作の変形例その２を示す図である。なお、図５では、図４と同一の部分については同一の符号を付し、同一部分についての説明を省略することとする。
【００５２】
図５では、新たに閾値Ｄが設けられている点で図４とは異なる。ここで、閾値Ｄは、閾値Ｂよりも大きく、閾値Ａよりも小さい閾値であり、補間停止区間から３０ｆｐｓ補間区間（２）へ入る場合（同図の５１ａ参照）の判定用閾値として用いられる。
【００５３】
このように、補間停止を開始する場合の閾値よりも、補間停止を終了する場合の閾値を大きな値とすることで、補間停止を開始しやすく補間停止を終了しにくい。すなわち、いったん補間停止を開始した場合に補間停止を継続する傾向を持たせることができる。これにより、補間停止と補間停止解除との頻繁な入れ替わりを防止することが可能となる。
【００５４】
次に、画像処理装置１０が実行する処理手順について図６を用いて説明する。図６は、画像処理装置１０が実行する処理手順を示すフローチャートである。なお、図６に示す閾値Ａは、図３などと同様に、閾値Ｂよりも大きいものとする。
【００５５】
同図に示すように、所定時間のウェイト処理を経て（ステップＳ１０１）、補間指示部１３ｂは、受信状況取得部１３ａから受信状況値を取得する（ステップＳ１０２）。なお、ステップＳ１０１において所定時間にわたるウェイト処理を行うのは、フレーム補間処理のフレームレートや、フレーム補間処理の停止が頻繁に切り替わることを防止するためである。また、ウェイト期間としては、たとえば、５秒、あるいは、１０秒といった数値を切り替えることができるものとする。
【００５６】
つづいて、補間指示部１３ｂは、受信状況値が閾値Ａよりも大きいか否かを判定する（ステップＳ１０３）。そして、受信状況値が閾値Ａよりも大きい場合には（ステップＳ１０３，Ｙｅｓ）、６０ｆｐｓのフレーム補間処理を行うようにフレーム補間部１３ｄに対して指示する。この指示を受けたフレーム補間部１３ｄは、６０ｆｐｓのフレーム補間を行ったうえで（ステップＳ１０４）、ステップＳ１０１以降の処理を繰り返す。
【００５７】
一方、ステップＳ１０３の判定状況を満たさなかった場合には（ステップＳ１０３，Ｎｏ）、つづいて、受信状況値が閾値Ｂよりも大きいか否かを判定する（ステップＳ１０５）。そして、受信状況値が閾値Ｂよりも大きい場合には（ステップＳ１０５，Ｙｅｓ）、補間指示部１３ｂは、３０ｆｐｓのフレーム補間処理を行うようにフレーム補間部１３ｄに対して指示する。
【００５８】
この指示を受けたフレーム補間部１３ｄは、３０ｆｐｓのフレーム補間を行ったうえで（ステップＳ１０６）、ステップＳ１０１以降の処理を繰り返す。なお、ステップＳ１０５の判定条件を満たさなかった場合には（ステップＳ１０５，Ｎｏ）、フレーム補間を行うことなく（ステップＳ１０７）、ステップＳ１０１以降の処理を繰り返す。
【００５９】
ところで、これまでは、フレーム補間処理部１３が、復調部１１から受け取った受信状況に基づいてフレーム補間部１３ｄによるフレーム補間内容を変更する場合について説明してきたが、フレームメモリ１４に格納されたフレーム画像に基づいてフレーム補間の内容を変更することとしてもよい。そこで、以下では、フレーム画像に基づいてフレーム補間の内容を変更する場合について説明することとする。
【００６０】
図７は、変形例に係る画像処理装置１０ａの構成を示すブロック図である。なお、図７においては、図２に示した画像処理装置１０と同一の構成要素には同一の符号を付しており、以下では、同一の構成要素についての説明を省略することとする。
【００６１】
変形例に係る画像処理装置１０ａは、フレーム補間処理部１３が、ブロックノイズ検出部１３ｅをさらに備えている点で、図２に示した画像処理装置１０とは異なる。ブロックノイズ検出部１３ｅは、フレームメモリ１４に格納されたフレーム画像を画像解析することによって、ブロックノイズを検出する処理を行う処理部である。
【００６２】
たとえば、このブロックノイズ検出部１３ｅは、フレーム画像に所定の大きさよりも小さい矩形領域が含まれているか否かを検査し、矩形領域の数や矩形領域面積の総和が所定の閾値を上回ったか否かを判定する。そして、所定の閾値を上回った場合には、ブロックノイズを検出した旨を補間指示部１３ｂに対して通知する。
【００６３】
かかる通知を受けた補間指示部１３ｂは、フレーム補間のフレームレートが６０ｆｐｓであれば、３０ｆｐｓへ変更する旨の指示をフレーム補間部１３ｄに対して行う。なお、図７では、ブロックノイズ検出部１３ｅが、フレームメモリ１４のフレーム画像からブロックノイズを検出する場合について示したが、前後する前記フレーム画像を対比することで、映像の停止を検出することとしてもよい。
【００６４】
この場合、映像が停止した旨の通知を受けた補間指示部１３ｂは、フレーム補間部１３ｄに対してフレーム補間処理を停止するように指示し、かかる指示を受けたフレーム補間部１３ｄは、フレーム補間処理を行うことなく出力映像を表示装置１００に対して出力することになる。
【００６５】
上述してきたように、本実施例では、フレーム補間部が、前後するフレーム画像間に挿入する補間フレーム画像の個数を０から所定個数の範囲で調整することとしたうえで、補間指示部が、フレーム画像または入力映像を搬送する放送波の受信状況に基づいて補間フレーム画像の個数を指示することとしたので、受信状況が変化しやすい環境であってもフレーム補間処理の実効性を向上させることができる。
【００６６】
なお、上述した実施例では、放送波の電界レベル、ＢＥＲ（Bit  Error  Ratio）、Ｃ／Ｎ（Carrier  To  Noise  Ratio）、ＴＳ（Transport  Stream）エラー信号などに基づいて受信状況値を算出する場合について説明したが、車両速度に基づいて受信状況値を算出することとしてもよい。たとえば、車両速度が高速である場合には、受信率低下の可能性が大きいと考えられるので、受信状況値を小さな値として算出することとすればよい。
【００６７】
また、車両速度に基づいて受信状況値を生成するのではなく、車両速度をフレーム補正の内容変更の否定条件として用いることとしてもよい。たとえば、３０ｆｐｓフレーム補間から６０ｆｐｓフレーム補間へのフレームレートの変更条件について、受信状況値が変更条件を満たしている場合であっても、車両速度が所定値を上回っている場合には、フレームレートを変更しないこととしてもよい。同様に、車両速度をフレーム補間停止から３０ｆｐｓフレーム補間へ変更する場合の否定条件として用いることとしてもよい。
【産業上の利用可能性】
【００６８】
以上のように、本発明に係る画像処理装置は、受信状況が変化しやすい環境であってもフレーム補間処理の実効性を向上させたい場合に有用であり、特に、車両などの移動体への適用に適している。
【図面の簡単な説明】
【００６９】
【図１】本発明に係る画像処理手法の概要を示す図である。
【図２】本実施例に係る画像処理装置の構成を示すブロック図である。
【図３】指示変更に伴う画像処理装置の動作例を示す図である。
【図４】画像処理装置の動作の変形例その１を示す図である。
【図５】画像処理装置の動作の変形例その２を示す図である。
【図６】画像処理装置が実行する処理手順を示すフローチャートである。
【図７】変形例に係る画像処理装置の構成を示すブロック図である。
【符号の説明】
【００７０】
１    アンテナ
１０    画像処理装置
１１    復調部
１２    デコード部
１３    フレーム補間処理部
１３ａ  受信状況取得部
１３ｂ  補間指示部
１３ｃ  映像入力部
１３ｄ  フレーム補間部
１３ｅ  ブロックノイズ検出部
１４    フレームメモリ
１００    表示装置
【図１】
2010041572.tif 000003
【図２】
2010041572.tif 000004
【図３】
2010041572.tif 000005
【図４】
2010041572.tif 000006
【図５】
2010041572.tif 000007
【図６】
2010041572.tif 000008
【図７】
2010041572.tif 000009